(57)【特許請求の範囲】
【請求項１】
表示部に複数の選択可能な項目を表示するように制御する表示制御手段と、
前記表示部に対するタッチ操作を受け付ける第１の操作受付手段と、
前記タッチ操作とは異なる操作を受け付ける第２の操作受付手段と、
前記複数の選択可能な項目のうち何れかの項目が前記第２の操作受付手段で受け付けた操作に応じて選択された場合には、前記第２の操作受付手段で受け付けた該操作があってから第１の期間が経過したことに応じて、選択された項目の関連情報を表示し、
前記複数の選択可能な項目のうち何れかの項目が前記第１の操作受付手段で受け付けたタッチ操作に応じて選択された場合には、前記第１の操作受付手段で受け付けた該タッチ操作があってから前記第１の期間が経過する前に、選択された項目の関連情報を表示するように制御する制御手段と、
撮像手段とを有し、
前記表示制御手段は、複数の選択可能な項目として前記撮像手段での撮像に関する特定の設定項目に関する複数の設定値候補を表示し、
前記制御手段は、前記関連情報として前記複数の設定値候補のうちの選択された設定値候補に関するガイドを表示するように制御することを特徴とする表示制御装置。
【請求項２】
前記制御手段は、前記複数の選択可能な項目のうち何れかの項目が前記第１の操作受付手段で受け付けたタッチ操作に応じて選択された場合には、該タッチ操作によるタッチが離されてから、前記第１の期間より短い第２の期間が経過したことに応じて、選択された項目の関連情報を表示するように制御することを特徴とする請求項１に記載の表示制御装置。
【請求項３】
前記制御手段は、前記複数の選択可能な項目のうち何れかの項目が前記第１の操作受付手段に対する操作に応じて選択された場合には、該操作を受け付けてから前記第１の期間が経過したことに応じて、選択された項目の関連情報を表示し、
前記複数の選択可能な項目のうち何れかの項目が前記第２の操作受付手段に対する操作に応じて選択された場合には、該操作を受け付けてから前記第１の期間よりも短く前記第２の期間よりも長い第３の期間が経過したことに応じて、選択された項目の関連情報を表示するように制御することを特徴とする請求項２に記載の表示制御装置。
【請求項４】
前記制御手段は、前記タッチ操作によるタッチ中は前記関連情報を表示しないように制御することを特徴とする請求項１乃至３のいずれか１項に記載の表示制御装置。
【請求項５】
前記制御手段は、前記関連情報を表示している際に前記第２の操作受付手段で前記選択可能な項目のうち何れかの項目を選択する操作を受け付けると、該操作の受付に応じて前記関連情報を非表示とし、該操作を受け付けてから前記第１の期間が経過する前には前記関連情報を表示しないように制御することを特徴とする請求項１乃至４のいずれか１項に記載の表示制御装置。
【請求項６】
前記制御手段は、前記関連情報が、前記表示制御手段によって表示された前記複数の選択可能な項目に少なくとも一部が重畳して表示される場合に前記制御を行うことを特徴とする請求項１乃至５のいずれか１項に記載の表示制御装置。
【請求項７】
前記制御手段は、前記関連情報の表示が前記表示制御手段によって表示された前記複数の選択可能な項目に重畳されない場合には、前記第２の操作受付手段で受け付けた該操作があってから前記第１の期間が経過する前にも前記関連情報を表示するように制御することを特徴とする請求項６に記載の表示制御装置。
【請求項８】
前記関連情報は、前記選択された項目に関するガイド表示であることを特徴とする請求項１乃至７のいずれか１項に記載の表示制御装置。
【請求項９】
前記第２の操作受付手段は、押しボタンに対する操作を受け付け、
前記制御手段は、前記押しボタンに対する操作回数に応じて選択される項目を順次切り替えるように制御することを特徴とする請求項１乃至８のいずれか１項に記載の表示制御装置。
【請求項１０】
前記第２の操作受付手段は、回転操作部材に対する操作を受け付け、
前記制御手段は、前記回転操作部材の回転量に応じて選択される項目を順次切り替えるように制御することを特徴とする請求項１乃至９のいずれか１項に記載の表示制御装置。
【請求項１１】
前記表示制御手段は、複数の選択可能な項目として複数の画像を前記表示部に表示し、前記制御手段は、前記関連情報として前記複数の画像のうちの選択された画像の拡大画像を表示するように制御することを特徴とする請求項１乃至１０の何れか１項に記載の表示制御装置。
【請求項１２】
前記特定の設定項目はホワイトバランスであることを特徴とする請求項１乃至１１のいずれか１項に記載の表示制御装置。
【請求項１３】
表示部に複数の選択可能な項目を所定の順番で表示するように制御する表示制御手段と、
前記表示部に表示されている複数の選択可能な項目のうちの一つを選択するための操作であり、操作を開始してから終了するまでの一回の操作により選択可能な項目が、前記所定の順番により制限されない操作である、第１の操作を受け付ける第１の操作受付手段と、
前記表示部に表示されている複数の選択可能な項目のうちの一つを選択するための操作であり、操作を開始してから終了するまでの一回の操作により選択可能な項目が、前記所定の順番により制限される操作である、第２の操作を受け付ける第２の操作受付手段と、
前記複数の選択可能な項目のうち何れかの項目が前記第２の操作受付手段で受け付けた操作に応じて選択された場合には、前記第２の操作受付手段で受け付けた該操作があってから第１の期間が経過したことに応じて、選択された項目の関連情報を表示し、
前記複数の選択可能な項目のうち何れかの項目が前記第１の操作受付手段で受け付けた操作に応じて選択された場合には、前記第１の操作受付手段で受け付けた該操作があってから前記第１の期間が経過する前に、選択された項目の関連情報を表示するように制御する制御手段と、
撮像手段とを有し、
前記表示制御手段は、複数の選択可能な項目として前記撮像手段での撮像に関する特定の設定項目に関する複数の設定値候補を表示し、
前記制御手段は、前記関連情報として前記複数の設定値候補のうちの選択された設定値候補に関するガイドを表示するように制御することを特徴とする表示制御装置。
【請求項１４】
表示部に複数の選択可能な項目を表示するように制御する表示制御ステップと、
前記表示部に対するタッチ操作を受け付ける第１の操作受付ステップと、
前記タッチ操作とは異なる操作を受け付ける第２の操作受付ステップと、
前記複数の選択可能な項目のうち何れかの項目が前記第２の操作受付ステップで受け付けた操作に応じて選択された場合には、前記第２の操作受付ステップで受け付けた該操作があってから第１の期間が経過したことに応じて、選択された項目の関連情報を表示し、前記複数の選択可能な項目のうち何れかの項目が前記第１の操作受付ステップで受け付けたタッチ操作に応じて選択された場合には、前記第１の操作受付ステップで受け付けた該タッチ操作があってから前記第１の期間が経過する前に、選択された項目の関連情報を表示するように制御する制御ステップと、
撮像ステップとを有し、
前記表示制御ステップでは、複数の選択可能な項目として前記撮像ステップでの撮像に関する特定の設定項目に関する複数の設定値候補を表示し、
前記制御ステップでは、前記関連情報として前記複数の設定値候補のうちの選択された設定値候補に関するガイドを表示するように制御することを特徴とする表示制御装置の制御方法。
【請求項１５】
表示部に複数の選択可能な項目を所定の順番で表示するように制御する表示制御ステップと、
前記表示部に表示されている複数の選択可能な項目のうちの一つを選択するための操作であり、操作を開始してから終了するまでの一回の操作により選択可能な項目が、前記所定の順番により制限されない操作である、第１の操作を受け付ける第１の操作受付ステップと、
前記表示部に表示されている複数の選択可能な項目のうちの一つを選択するための操作であり、操作を開始してから終了するまでの一回の操作により選択可能な項目が、前記所定の順番により制限される操作である、第２の操作を受け付ける第２の操作受付ステップと、
前記複数の選択可能な項目のうち何れかの項目が前記第２の操作受付ステップで受け付けた操作に応じて選択された場合には、前記第２の操作受付ステップで受け付けた該操作があってから第１の期間が経過したことに応じて、選択された項目の関連情報を表示し、
前記複数の選択可能な項目のうち何れかの項目が前記第１の操作受付ステップで受け付けた操作に応じて選択された場合には、前記第１の操作受付ステップで受け付けた該操作があってから前記第１の期間が経過する前に、選択された項目の関連情報を表示するように制御する制御ステップと、
撮像ステップとを有し、
前記表示制御ステップでは、複数の選択可能な項目として前記撮像ステップでの撮像に関する特定の設定項目に関する複数の設定値候補を表示し、
前記制御ステップでは、前記関連情報として前記複数の設定値候補のうちの選択された設定値候補に関するガイドを表示するように制御することを特徴とする表示制御装置の制御方法。
【請求項１６】
コンピュータを、請求項１乃至１２のいずれか１項に記載された表示制御装置の各手段として機能させるプログラム。
【請求項１７】
コンピュータを、請求項１乃至１２のいずれか１項に記載された表示制御装置の各手段として機能させるプログラムを格納したコンピュータが読み取り可能な記憶媒体。
【発明の詳細な説明】
【技術分野】
【０００１】
本発明は、表示された複数の項目のうち、選択した項目に関する関連情報を表示させることのできる表示制御装置及びその制御方法、プログラム、記録媒体に関する。
【背景技術】
【０００２】
電子機器の機能は多様化・複雑化しており、ユーザーが電子装置の機能を使いこなすことが容易ではなくなってきている。ディスプレイに表示された選択可能な複数の項目のうち何れかの項目を選択する場面でも、どの項目がどのようなものであるかを理解できなければ、所望の項目を選択することは難しい。そこで、特許文献１には、複数のメニュー項目のうちの何れかに選択用のフォーカスが停止してから所定時間が経過すると、フォーカスが当たっているメニュー項目の下位メニューをポップアップ表示することが開示されている。
【０００３】
特許文献１のように、表示された複数の項目のうち、選択した項目に関する関連情報を表示させることで、選択した項目が所望の項目であるかをユーザーに判断させやすくすることができる。また、関連情報を表示させるタイミングをフォーカスが停止してから所定時間後とすることで、ユーザーが操作途中であると感じている期間に関連項目の表示が頻繁に変わって表示が煩雑になることを防ぐことができる。
【先行技術文献】
【特許文献】
【０００４】
【特許文献１】特開２００８−１５２３４５号公報
【発明の概要】
【発明が解決しようとする課題】
【０００５】
しかしながら、選択操作を行う操作部が複数ある場合、いずれの操作部で操作されたかに関わらずに、選択操作から一律同じ時間経過後に関連情報を表示させてしまうと、必ずしもそれぞれの操作部での操作に適した表示がなされているとは限らない
例えば、タッチパネルに表示された複数の項目のうち任意の項目を選択する操作を、任意の項目に対するタッチによって行う場合には、タッチパネルから指が離れた時点で選択操作が完了したものと想定される。にもかかわらず、タッチパネルから指が離れてから選択項目の関連情報が表示されるまでの時間が長いと、ユーザーはレスポンスが遅いと感じる。
【０００６】
一方、選択操作を、ボタン操作によって順次選択を移動していく方法で行う場合には、一連の操作として操作ボタンが複数回連続して押される場合があるため、操作ボタンの押下が終了したからといってすぐ選択操作が完了したものとは断定できない。そのため、操作ボタンの押下が終了してから選択項目の関連情報が表示されるまでの時間が短いと、ユーザーの一連の操作途中で、ユーザーが所望する項目に関係しない情報が表示されることがあり、紛らわしい。
【０００７】
そこで本発明は、上記課題に鑑み、複数の操作部材で項目選択が行える場合に、項目選択を行う操作部がいずれであるかに応じて、ユーザーがより快適に感じるタイミングで選択項目の関連情報を表示することができる表示制御装置を提供することを目的とする。
【課題を解決するための手段】
【０００８】
上記目的を達成するために、本発明は、
表示部に複数の選択可能な項目を表示するように制御する表示制御手段と、
前記表示部に対するタッチ操作を受け付ける第１の操作受付手段と、
前記タッチ操作とは異なる操作を受け付ける第２の操作受付手段と、
前記複数の選択可能な項目のうち何れかの項目が前記第２の操作受付手段で受け付けた操作に応じて選択された場合には、前記第２の操作受付手段で受け付けた該操作があってから第１の期間が経過したことに応じて、選択された項目の関連情報を表示し、
前記複数の選択可能な項目のうち何れかの項目が前記第１の操作受付手段で受け付けたタッチ操作に応じて選択された場合には、前記第１の操作受付手段で受け付けた該タッチ操作があってから前記第１の期間が経過する前に、選択された項目の関連情報を表示するように制御する制御手段と、
撮像手段とを有し、
前記表示制御手段は、複数の選択可能な項目として前記撮像手段での撮像に関する特定の設定項目に関する複数の設定値候補を表示し、
前記制御手段は、前記関連情報として前記複数の設定値候補のうちの選択された設定値候補に関するガイドを表示するように制御することを特徴とする。
【発明の効果】
【０００９】
本発明によれば、複数の操作部材で項目選択が行える場合に、複数の項目の中から項目選択を行う操作部がいずれであるかに応じて、ユーザーがより快適に感じるタイミングで選択項目の関連情報を表示することができる。
【図面の簡単な説明】
【００１０】
【図１】本発明の表示制御装置の一実施形態としてデジタルカメラの構成を示すブロック図である。
【図２】（ａ）本発明の表示制御装置の一実施形態としてデジタルカメラの背面外観図である。（ｂ）。本発明の表示制御装置の一実施形態としてデジタルカメラの正面外観図である。
【図３】ＷＢ設定画面における処理フローチャートである。
【図４】ＷＢ設定画面の表示例である。
【図５】マルチ表示画面の表示例である。
【発明を実施するための形態】
【００１１】
以下に、本発明の好ましい実施の形態を、添付の図面に基づいて詳細に説明する。
【００１２】
図１に、本発明の表示制御装置の一例としてのデジタルカメラ１００のシステムブロック図を示す。図１において、内部バス１５０に対してＣＰＵ１０１、メモリ１０２、不揮発性メモリ１０３、画像処理部１０４、ディスプレイ１０５、操作部１０６、記録媒体Ｉ／Ｆ１０７が接続されている。また、内部バス１５０に対して外部Ｉ／Ｆ１０９、通信Ｉ／Ｆ１１０、撮像部１１２、システムタイマー１１３が接続されている。内部バス１５０に接続される各部は、内部バス１５０を介して互いにデータのやりとりを行うことができるようにされている。
【００１３】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、デジタルカメラ１００の各部を制御する。不揮発性メモリ１０３には、画像データや音声データ、その他のデータ、ＣＰＵ１０１が動作するための各種プログラムなどが格納される。後述する期間ｔ１〜ｔ３も後述する不揮発性メモリ１０３に記録されているものとする。不揮発性メモリ１０３は例えばハードディスク（ＨＤ）やＲＯＭなどで構成される。
【００１４】
画像処理部１０４は、ＣＰＵ１０１の制御に基づいて、記録媒体１０８に格納された画像データや、外部Ｉ／Ｆ１０９や通信Ｉ／Ｆ１１０を介して取得した画像データ、撮像部１１２で撮影した画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては専用の回路ブロックを用いずにＣＰＵ１０１がプログラムに従って画像処理を施すことも可能である。
【００１５】
ディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、ディスプレイ１０５に表示するための映像信号を生成してディスプレイ１０５に出力するようにデジタルカメラ１００の各部を制御する。ディスプレイ１０５は入力された映像信号に基づいて映像を表示する。なお、デジタルカメラ１００自体が備える構成としてはディスプレイ１０５に表示させるための映像信号を出力するためのインターフェースまでとし、ディスプレイ１０５は外付けのモニター（テレビなど）で構成してもよい。
【００１６】
操作部１０６は、ユーザーの操作を受け付けるための入力デバイスである。操作部１０６には、ポインティングデバイスであるタッチパネル２３０、右ボタン２０２、左ボタン２０４、電子ダイヤル２１１を含む。また、その他にもジョイスティック、タッチセンサ、タッチパッド、電源スイッチ、シャッターボタンなどを含む。キーボードなどの文字情報入力デバイスや、マウス（ポインティングデバイス）を含んでも良い。なお、タッチパネル２３０は、ディスプレイ１０５に重ね合わせて平面的に構成され、接触された位置に応じた座標情報が出力されるようにした入力デバイスである。
【００１７】
記憶媒体Ｉ／Ｆ１０７は、メモリーカードやＣＤ、ＤＶＤといった記録媒体１０８が装着可能とされ、ＣＰＵ１０１の制御に基づき、装着された記録媒体１０８からのデータの読み出しや、当該記録媒体１０８に対するデータの書き込みを行う。外部Ｉ／Ｆ１０９は、外部機器と有線ケーブルや無線によって接続し、映像信号や音声信号の入出力を行うためのインターフェースである。通信Ｉ／Ｆ１０７は、外部機器やインターネット１１１などと通信して、ファイルやコマンドなどの各種データの送受信を行うためのインターフェースである。撮像部１１２は光学像を電気信号に変換するＣＣＤやＣＭＯＳ素子等の撮像素子を少なくとも含み、ズームレンズ、フォーカスレンズ、ミラー、絞り、シャッターなどの光学部材から構成される。システムタイマー１１３は、デジタルカメラ１００に内蔵される時計機能の計時や、各種制御における制御期間などを計時するタイマーである。
【００１８】
なお、タッチパネル２３０とディスプレイ１０５とは一体的に構成することができる。例えば、タッチパネル２３０を光の透過率がディスプレイ１０５の表示を妨げないように構成し、ディスプレイ１０５の表示面の上層に取り付ける。そして、タッチパネル２３０における入力座標と、ディスプレイ１０５上の表示座標とを対応付ける。これにより、恰もユーザがディスプレイ１０５上に表示された画面を直接的に操作可能であるかのようなＧＵＩを構成することができる。ＣＰＵ１０１はタッチパネル２３０への以下の操作を検出できる。
・タッチパネルを指やペンで触れたこと（以下、タッチダウンと称する）。
・タッチパネルを指やペンで触れている状態であること（以下、タッチオンと称する）。
・タッチパネルを指やペンで触れたまま移動していること（以下、タッチムーブと称する）。
・タッチパネルへ触れていた指やペンを離したこと（以下、タッチアップと称する）。
・タッチパネルに何も触れていない状態（以下、タッチオフと称する）。
【００１９】
これらの操作や、タッチパネル上に指やペンが触れている位置座標は内部バス１５０を通じてＣＰＵ１０１に通知され、ＣＰＵ１０１は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２０】
図２（ａ）にデジタルカメラ１００の背面外観図を、図２（ｂ）にデジタル官カメラ１００の正面外観図を示す。
【００２１】
ディスプレイ１０５は画像や各種情報を表示する表示部であり、タッチパネル２３０と一体的に構成されている。上ボタン２０１，右ボタン２０２，下ボタン２０３、左ボタン２０４、セットボタン２０５、電子ダイヤル２１１は図１の操作部１０６に含まれる操作部材である。以下、上ボタン２０１，右ボタン２０２，下ボタン２０３、左ボタン２０４を総称して十字キーと称するものとする。右ボタン２０２，左ボタン２０４を総称して左右キーと称するものとする。上ボタン２０１、下ボタン２０３を総称して上下キーと称するものとする。電子ダイヤル２１１は時計回りまたは反時計周りに回転操作することのできる回転操作部材（ロータリーエンコーダー）である。主に設定値を変更・決定するために使用する。電源スイッチ２０６は、デジタルカメラ１００の電源オン、電源オフを切り替えるための操作部である。モードダイアル２０７はデジタルカメラの各種モードを切り替えるための操作部である。撮像部１１２は図示されているミラー（ミラーは有して無くても良い）、ミラーの背面に位置する撮像素子などよりなる。この部分に交換レンズを装着可能である。
【００２２】
以下、図３〜図５を参照して、本実施形態の動作を説明する。
【００２３】
＜実施例１＞
実施例１では、ホワイトバランス（以下、ＷＢ）設定を変更する画面において、設定候補として表示された複数の項目のうち何れかの項目を選択する場面について説明する。実施例１では、タッチパネル２３０へのタッチ操作によって選択されたか、左右キーまたは電子ダイヤル２１１の操作によって選択されたかによって、選択されたＷＢ設定に関するガイド情報を表示するまでの時間を異ならせる。
【００２４】
図３に、ＷＢ設定画面における処理フローチャート、図４にＷＢ設定画面における各種表示例を示す。図３の処理は、デジタルカメラ１００が起動されて操作部１０６によりＷＢ設定画面の表示開始の指示操作があると、ＣＰＵ１０１がメモリ１０２に記憶された表示制御プログラムを実行し、ディスプレイ１０５にＷＢ設定画面を表示することにより開始される。
【００２５】
Ｓ３０１において、ＣＰＵ１０１は、ＷＢの設定画面の初期画面をディスプレイ１０５に表示する。
【００２６】
図４（ａ）に、ディスプレイ１０５におけるＷＢ設定画面４００の初期表示例を示す。設定項目表示領域４０３には、選択可能な複数の項目として、複数の光源別のＷＢの設定値候補が表示される。図示の例では、左から順に、オートホワイトバランス（ＡＷＢ），太陽光、日陰、フラッシュ撮影、白色蛍光灯、曇りを示すアイコンが設定値候補（項目）として一列に並んでいる。このうち、図４（ａ）の例では太陽光が選択されており、太陽光の項目に選択中表示形態４０１として選択枠が表示されている。なお、選択中表示形態４０１のように枠表示する表示形態に限るものではなく、選択されていない項目（例えば日陰の項目４０２）と識別可能であればよい。例えば、点滅表示や、異なる色の表示などが考えられる。この状態では、デジタルカメラ１００にはＷＢ設定として太陽光（色温度５２００ケルビン程度の光源に合わせたＷＢ設定）が設定されていることがわかる。
【００２７】
Ｓ３０２では、ＣＰＵ１０１は、タッチパネル２３０に対するタッチダウンがあったか否かを判定する。タッチダウンがあった場合はＳ３０３へ進み（第１の操作受付）、そうでない場合はＳ３１９に進む。
【００２８】
Ｓ３０３では、Ｓ３０２でユーザーがタッチダウンした位置が、前述した設定項目表示領域４０３内であるか否かを判定する。設定項目表示領域４０３内である場合はＳ３０６へ進み、そうでない場合はＳ３０４へ進む。
【００２９】
Ｓ３０４では、ＣＰＵ１０１は、タッチムーブがあったか否かを判定する。タッチムーブがあった場合は再びＳ３０３へ進み、タッチムーブがない場合はＳ３０５へ進む。
【００３０】
Ｓ３０５では、ＣＰＵ１０１は、タッチアップがあったか否かを判定する。タッチアップがあった場合は再びＳ３０２へ進み、タッチアップがない場合はＳ３０４へ進む。
【００３１】
Ｓ３０６では、ＣＰＵ１０１は、タッチ位置（タッチされている位置）の項目の表示形態をタッチオン中を示す色にして表示する。
【００３２】
図４（ｂ）に、ディスプレイ１０５に表示されるＷＢ設定画面４００での、タッチ御オン中の表示例を示す。図４（ｂ）は、太陽光の項目がタッチされている際中の表示例である。太陽光のタッチオン中表示４０４は、タッチオフ中と比べると項目の内側の色が異なっており、タッチオフ中の表示形態である選択中表示形態４０１とは識別可能である。また、選択されていない項目（例えば日陰の項目４０２）とも識別可能である。このような表示形態によって、ユーザーは、現在太陽光の項目に触っている状態であり、現在行っているタッチ操作がデジタルカメラ１００に受け付けられていることを識別することができる。
【００３３】
Ｓ３０７では、ＣＰＵ１０１は、タッチムーブがあったか否かを判定する。タッチムーブがあった場合は再びＳ３０３へ進み、タッチムーブがない場合はＳ３０８へ進む。
【００３４】
Ｓ３０８では、タッチアップがあったか否かを判定する。タッチアップがあった場合はＳ３０９へ進み、タッチアップがない場合は再びＳ３０７へ進む。
【００３５】
Ｓ３０９では、ＣＰＵ１０１は、Ｓ３０８でタッチアップされる直前にタッチされていた位置（タッチアップ位置）の項目をタッチオン中の表示形態から、前述したタッチオフ中の選択中表示形態４０１に変更して表示する。また、タッチアップ位置の項目が示す設定値（ＷＢ設定）をデジタルカメラ１００に設定する。
【００３６】
Ｓ３１０では、ＣＰＵ１０１は、時間計測を開始する（タイマーを開始する）。より具体的には、この開始時点での時間情報をシステムタイマー１１３から取得してメモリ１０２に記憶する。このように記憶した時間情報とその後の計測中の時間情報との差分で、タイマーを開始してからの時間経過を判定できる。
【００３７】
Ｓ３１１では、ＣＰＵ１０１は、タイマーを開始してから期間ｔ１が経過したか否かを判定する。期間ｔ１が経過していた場合はＳ３１４に進み、経過していない場合はＳ３１２に進む。なお、期間ｔ１は後述する期間ｔ２よりも短いものとする（ｔ１＜ｔ２）。期間ｔ１は、タッチパネル２３０からタッチアップして選択操作を終えてから選択された項目の関連情報を表示するまでの期間であり、例えば０．２秒程度である。この期間が長すぎるとユーザーにレスポンスが遅いと思われる可能性がある。また、ｔ１はｔ２より短ければいいので、０秒としてもよい。ただしユーザーに不自然さを与えないように、０秒ではない実質的な期間があった方がより好ましい。
【００３８】
Ｓ３１２では、ＣＰＵ１０１は、タッチダウンがあったか否かを判定する。タッチダウンがあった場合は再びＳ３０３へ進み、タッチダウンが無い場合はＳ３１３へ進む。
【００３９】
Ｓ３１３では、ＣＰＵ１０１は、左右キー（右ボタン２０２、左ボタン２０４のいずれか）の押下、あるいは電子ダイヤル２１１に対する回転操作のいずれかが行われたか否かを判定する。左右キーの押下あるいは電子ダイヤル２１１の回転操作があった場合はＳ３２０へ進み、そうでない場合はＳ３１１へ進む。
【００４０】
Ｓ３１４では、ＣＰＵ１０１は、選択された項目の関連情報として、選択された項目のガイド４０５をディスプレイ１０５に表示する。このガイドの表示はタッチアップ後に行い、タッチオン中にはガイド表示は行わない。
【００４１】
図４（ｃ）に、ＷＢ設定画面４００におけるガイド４０５の表示例を示す。ガイド４０５には、現在選択している項目（選択中表示形態４０１で示される項目）がどのような設定内容であるのかをガイドするメッセージが表示される。図示の例では、白色蛍光灯の項目が選択されて選択中表示形態４０１で表示されているため、ガイド４０５には、白色蛍光灯を使っている屋内での撮影に適したＷＢ設定であることをガイドしている。このように表示することで、ユーザーは、現在選択されている項目が所望する項目となっているか否かを判断することができる。
【００４２】
Ｓ３１５では、ＣＰＵ１０１は、タッチダウンがあったか否かを判定する。タッチダウンがあった場合はＳ３１６に進み、タッチダウンが無い場合はＳ３１７へ進む。
【００４３】
Ｓ３１６では、ＣＰＵ１０１は、Ｓ３１４で表示したガイド４０５を消し（非表示とする）、Ｓ３０３へ進む。
【００４４】
Ｓ３１では、ＣＰＵ１０１は、左右キー（右ボタン２０２、左ボタン２０４のいずれか）の押下、あるいは電子ダイヤル２１１に対する回転操作のいずれかが行われたか否かを判定する。左右キーの押下あるいは電子ダイヤル２１１の回転操作があった場合はＳ３１８へ進み、そうでない場合は再びＳ３１５へ進む。
【００４５】
Ｓ３１８では、ＣＰＵ１０１は、Ｓ３１４で表示したガイド４０５を消し（非表示とする）、Ｓ３２０へ進む。
【００４６】
一方、Ｓ３１９では、ＣＰＵ１０１は、左右キー（右ボタン２０２、左ボタン２０４のいずれか）の押下、あるいは電子ダイヤル２１１に対する回転操作のいずれかが行われたか否かを判定する。左右キーの押下あるいは電子ダイヤル２１１の回転操作があった場合（物理操作受付をした場合）はＳ３２０へ進み（第２の操作受付）、そうでない場合は再びＳ３０２へ進む。
【００４７】
Ｓ３２０では、ＣＰＵ１０１は、左右キーの押下あるいは電子ダイヤル２１１の回転操作に応じて選択する項目を変更する。すなわち、右ボタン２０２の押下があった場合には押下前に選択されていた項目の右隣の項目を選択し、左ボタン２０４の押下があった場合には押下前に選択されていた項目の左隣の項目を選択する。電子ダイヤル２１１の時計回りの回転操作があった場合には、回転操作量に応じて右方向に選択枠を移動し、反時計周りの回転操作があった場合には、回転操作量に応じて左方向に選択枠を移動する。
【００４８】
Ｓ３２１では、ＣＰＵ１０１は、変更後の選択項目を前述したタッチオフ中の選択中表示形態４０１に変更して表示する。また、変更後の選択項目の設定値（ＷＢ設定）をデジタルカメラ１００に設定する。
【００４９】
Ｓ３２２では、ＣＰＵ１０１は、期間計測を開始する（タイマーを開始する）。より具体的には、この開始時点での時間情報をシステムタイマー１１３から取得してメモリ１０２に記憶する。このように記憶した時間情報とその後の計測中の時間情報との差分で、タイマーを開始してからの時間経過を判定できる。
【００５０】
Ｓ３２３では、ＣＰＵ１０１は、タイマーを開始してから、期間ｔ２が経過したか否かを判定する。期間ｔ２が経過していた場合はＳ３１４に進み、経過していない場合はＳ３２４に進む。なお、期間ｔ２（第１の期間）は前述した期間ｔ１（第２の期間）よりも長いものとする（ｔ１＜ｔ２）。期間ｔ２は、左右キーの押下あるいは電子ダイヤル２１１の回転操作に応じて選択する項目を変更してから、選択された項目の関連情報を表示するまでの期間であり、例えば０．８秒程度である。この期間が短すぎるとユーザーに操作途中でガイド４０５の内容が次々と切り替わって煩雑であると感じさせる可能性があるが、０．８秒程度であれば連続操作だったとしても操作はおおよそ終了しており、ユーザーに操作途中だと感じさせることがない。
【００５１】
Ｓ３２４では、ＣＰＵ１０１は、タッチダウンがあったか否かを判定する。タッチダウンがあった場合はＳ３０３に進み、タッチダウンが無い場合はＳ３２５に進む。
【００５２】
Ｓ３２５では、ＣＰＵ１０１は、左右キー（右ボタン２０２、左ボタン２０４のいずれか）の押下、あるいは電子ダイヤル２１１に対する回転操作のいずれかが行われたか否かを判定する。左右キーの押下あるいは電子ダイヤル２１１の回転操作があった場合はＳ３２０へ進み、そうでない場合は再びＳ３２３へ進む。
【００５３】
図３の処理によれば、複数の項目の中から項目選択を行った操作部がタッチパネル２３０であったか、左右キー、または電子ダイヤル２１１であったかに応じて、選択項目のガイド４０５が表示されるまでの期間を異なる期間としている。より具体的には、項目選択を行った操作部が左右キーまたは電子ダイヤル２１１であった場合よりも、タッチパネル２３０であった場合の方が短い期間ですばやくガイド表示が行わるようにしている。すなわち、操作回数や回転量に応じて選択を順次切り替える操作部材よりも、選択したい項目を直接指定できる操作部材で操作した場合のほうが短い期間でガイド表示が行われるようにしている。このようにすることで、タッチパネル２３０へのタッチ操作によって項目選択をした場合にはタッチアップ後に比較的素早くガイド４０５が表示されるので、ユーザーにレスポンスが遅いと感じさせることを防ぐことができる。なおかつ、左右キーを連続して押下しようとした途中、あるいは電子ダイヤル２１１を連続して回転させようとした途中にガイド４０５が表示されてしまい、操作途中でガイド４０５の内容が切り替わって煩雑であると感じさせることも防ぐことができる。このように、複数の項目の中から項目選択を行う操作部がいずれであるかに応じて、ユーザーがより快適に感じるタイミングで選択項目の関連情報を表示することができるので、ユーザーは快適に操作することができる。
【００５４】
なお、左右キーと電子ダイヤル２１１の操作終了後（Ｓ３０２）、同じｔ２の経過後（Ｓ３２３でＹｅｓとなった後）にガイド４０５を表示するとしたが、左右キーの操作後と電子ダイヤル２１１の操作後とで異なる期間の経過後にガイド４０５を表示してもよい。例えば、左右キー（第１の操作部材）の操作後であればｔ２（第１の期間。例えば０．８秒。）経過してからガイド４０５を表示する。一方、電子ダイヤル２１１（第２の操作部材）の操作後であれば、ｔ２より短く、ｔ１よりも長いｔ３（第３の期間。例えば０．５秒。）が経過してからガイド４０５を表示するようにする。すなわち、ｔ１（タッチアップからガイド表示までの期間）＜ｔ３（ダイヤル操作後からガイド表示までの期間）＜ｔ２（ボタン操作後からガイド表示までの期間）とする。これは、左右キーのいずれかを連続して押下する場合の押下の合間の期間よりも、電子ダイヤル２１１の連続した回転操作の合間の方が短いと想定されるためである。連続操作の合間の期間が短ければ、ガイド４０５が表示されるまでの期間が比較的短くしても操作の合間にガイド４０５が表示されることが少ない。このように、選択操作後に選択項目の関連表示を行うまでの期間を、選択操作を行う操作部材毎に適した期間設定とすることで、よりきめ細やかにユーザーが快適と感じるタイミングでの関連情報の表示を行うことができる。
【００５５】
また、図４（ｃ）に示したように、ガイド４０５は、ガイドメッセージを表示する領域を広く確保するために、選択可能な複数の項目であるＷＢの設定値候補項目に一部重畳して表示される。ただし選択操作の最中にこのような重畳表示が行われてしまっては。選択候補となる項目が十分に視認できず、選択操作の妨げとなる。図３の処理で選択操作中（タッチ操作受付中、左右キー、電子ダイヤル２１１の操作中）にガイド４０５を表示しない理由は、選択操作中にこのようにガイド４０５が選択可能な項目の視認を妨げないようにするためでもある。逆に、ガイド４０５が選択可能な項目に重畳されない位置に表示されるのであれば、選択操作中に表示していても選択候補のなる項目の視認の妨げとはならない。従って、ガイド４０５が選択可能な項目に重畳されない位置に表示される場合は、選択操作中（タッチオン中及びタッチアップ後からｔ１の期間、左右キーまたは電子ダイヤル２１１の操作中及び操作後からｔ２の期間）にもガイド４０５を表示するものとしてもよい。
【００５６】
＜実施例２＞
上述の実施例１では、本発明をデジタルカメラ１００の撮影モードの際のＷＢ設定画面に適用し、選択可能な複数の項目をＷＢ設定として設定可能な各設定候補、選択された項目に関連する関連情報を選択されたＷＢ設定の項目のガイド表示とした。しかしこれに限るものではなく、実施例２では、本発明を複数の画像を同一画面に表示するマルチ表示画面に適用し、選択可能な複数の項目を表示された複数の画像、選択された項目の関連情報を選択された画像の拡大画像として適用する例を説明する。マルチ表示画面は、デジタルカメラ１００が再生モードである際に表示される。
【００５７】
図５に、本発明を適用可能なマルチ表示画面の表示例を示す。
【００５８】
図５（ａ）は、ディスプレイ１０５に選択可能な項目としての９枚の画像が同時に表示されたマルチ表示画面５００の表示例である。図５（ａ）では、中央の画像が選択されており、選択中表示形態５０１で表示されおり（選択枠が表示されている）、選択されていない画像５０２と識別可能となっている。ユーザーは、タッチパネル２３０のうちのタッチ可能領域５０３に対するタッチ操作、十字キーの押下、電子ダイヤル２１１の操作のいずれでも９枚の画像のうち任意の画像を選択することができる。
【００５９】
図５（ｂ）は、マルチ表示画面５００に表示された画像のうち中央の画像にタッチされている（タッチオン状態である）場合のタッチオン中表示５０４の表示例である。タッチオン中表示５０４は、タッチオフ中と比べると画像の内側の色が異なっており、タッチオフ中の表示形態である選択中表示形態５０１とは識別可能である。また、選択されていない項目（例えば画像５０２）とも識別可能である。このような表示形態によって、ユーザーは、現在中央の画像に触っている状態であり、現在行っているタッチ操作がデジタルカメラ１００に受け付けられていることを識別することができる。
【００６０】
図５（ｃ）は、選択されている項目である中央の画像の関連情報として、中央の画像の拡大画像５０５を表示している例である。この拡大画像５０５によってユーザーは選択している画像をより詳細に確認することができ、現在選択されている項目が所望する項目となっているか否かを判断することができる。
【００６１】
図５（ｃ）の状態から十字キーの押下または電子ダイヤル２１１の操作によって選択画像を変更する操作があると、拡大画像（関連情報）の表示を消して、図５（ａ）のように選択中の画像は選択中表示形態５０１で表示する（操作中は拡大表示をしない）。そして、図３の処理においてガイド４０５を表示する際と同様に、十字キーの押下または電子ダイヤル２１１の操作が終了してからｔ２が経過してから選択画像の拡大画像を表示する。一方、図５（ｃ）の状態から十字キーの押下または電子ダイヤル２１１の操作によって選択画像を変更する操作があると、拡大画像（関連情報）の表示を消して、図５（ｂ）のように選択中の画像はタッチオン中表示５０４で表示する（操作中は拡大表示をしない）。タッチアップ後はタッチオン中表示５０４からまず図５（ａ）のような選択中表示形態５０１に切り替える。そして、図３の処理においてガイド４０５を表示する際と同様に、タッチアップ後ｔ１（＜ｔ２）が経過してから選択画像の拡大画像を表示する。なお、これらの処理は、ＷＢ設定画面での前述したガイド４０５と、マルチ表示画面での拡大表示５０５とを同等にみなすことで、図３のＷＢ設定画面での処理と同様の処理で実現可能である。
【００６２】
このように、実施例２によれば、複数の画像の中から画像の選択を行う操作部がいずれであるかに応じて、ユーザーがより快適に感じるタイミングで選択画像の関連情報としての拡大画像を表示することができるので、ユーザーは快適に操作することができる。なお、選択された項目の関連情報として、選択された画像の拡大画像を表示する例を説明したが、これに限るものではない。選択された画像の属性情報（ヘッダ情報に含まれる撮影設定情報や撮影位置情報など）や、選択された画像に関連付いた他ファイルの情報などでもよい。
【００６３】
さらに、順次選択ではなくユーザーが所望する項目を直接指定して選択できる操作部材であれば、上述したタッチパネル２３０に限らず、マウスやタッチパッドなどの操作部材であっても、上述した各実施例におけるタッチパネル２３０と同様に扱っても良い。
【００６４】
なお、上述の各実施例でＣＰＵ１０１が行うとした制御は１つのハードウェアが行う制御に限らなくてもよく、複数のハードウェアが処理を分担することで、装置全体の制御を行ってもよい。
【００６５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６６】
また、上述した実施形態では、本発明をデジタルカメラ１００に適用した例を説明したが、この例に限定されず、選択可能な複数の項目のうち任意の項目を選択可能であり、選択された項目の関連情報を表示する表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００６７】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0006004756.tif 000002
【図２】
0006004756.tif 000003
【図３】
0006004756.tif 000004
【図４】
0006004756.tif 000005
【図５】
0006004756.tif 000006